(57)【要約】【課題】利用者が所望する被写体の断層位置で断層画像を再構成することのできる技術を提供する。【解決手段】第１事前作業Ｓ１〜Ｓ４として、Ｘ線撮影装置によるＸ線撮影対象である被写体から写し取る印象のカメラ撮影画像を取得する。第２事前作業Ｓ５〜Ｓ７として、被写体のパノラマ画像を取得する。メイン作業Ｓ８〜Ｓ１１として、ＲＯＩの画像とナビゲート表示を生成するための選択操作を行う。Ｘ線撮影装置１は、パノラマ用画像処理手段７によって、旋回駆動手段４の回転軸方向から視た被写体の断層位置の軌道をカメラ撮影画像上に重畳して第１出力手段１０に出力し、表示された断層位置の軌道に対する選択および変形の指示を受け付け、選択および変形された軌道の情報に基づいて複数のフレーム画像の重ね合わせ幅を求め、選択および変形された軌道の断層画像を再構成することによりパノラマ断層画像を生成する。【選択図】図６
2010148676.tif 000002
【特許請求の範囲】
【請求項１】
Ｘ線撮影用の基準位置に位置付けされた被写体にＸ線を照射するＸ線源と、
前記被写体を透過したＸ線を受光するＸ線撮像手段と、
前記Ｘ線源と前記Ｘ線撮像手段とを前記被写体が収まるように所定の間隔を空けて保持するアームを所定の回転中心の周りに回転させる旋回駆動手段と、
前記基準位置への被写体の位置付けに対応して当該装置に予め定められた標準断層位置における前記被写体のＸ線撮影結果である複数のフレーム画像を記憶するフレーム記憶手段と、
指定された断層位置のパノラマ断層画像を生成するパノラマ用画像処理手段と、
前記パノラマ断層画像を表示する表示手段とを有するＸ線撮影装置であって、
被写体の型を写し取るために位置付け用補助具に付着された印象材により採取された前記被写体の印象を、前記旋回駆動手段の回転軸方向から視た前記標準断層位置を示す標準撮影軌道に位置合わせしてカメラで撮影したカメラ撮影画像を記憶するカメラ撮影画像記憶手段を備え、
前記パノラマ用画像処理手段は、前記旋回駆動手段の回転軸方向から視た前記被写体の断層位置の軌道を前記カメラ撮影画像上に重畳して表示手段に出力し、表示された断層位置の軌道に対する選択および変形の指示を受け付け、選択および変形された軌道の情報に基づいて前記複数のフレーム画像の重ね合わせ幅を求め、前記選択および変形された軌道の断層画像を再構成することにより前記パノラマ断層画像を生成することを特徴とするＸ線撮影装置。
【請求項２】
前記選択および変形された軌道の情報に基づいて、前記被写体の選択および変形された軌道の位置と、前記標準断層位置とのずれに応じて、前記被写体の選択および変形された軌道の位置において再構成された断層画像を拡大または縮小することで前記ずれが無い場合に想定されている画像の大きさに対応した画像サイズに補正する画像サイズ補正手段を備え、
前記表示手段は、前記画像サイズが補正された断層画像を前記パノラマ断層画像として表示することを特徴とする請求項１に記載のＸ線撮影装置。
【請求項３】
前記Ｘ線撮影用の基準位置および前記標準撮影軌道に位置合わせされた前記カメラを前記アームに備えることを特徴とする請求項１または請求項２に記載のＸ線撮影装置。
【請求項４】
被写体の指定された断層位置のパノラマ断層画像を生成するために、
Ｘ線撮影装置により被写体の撮影対象の断層をパノラマ撮影することで取得された複数のフレーム画像を記憶したフレーム画像記憶手段と、
被写体の型を写し取るために位置付け用補助具に付着された印象材により採取された前記被写体の印象を、前記Ｘ線撮影装置の標準撮影軌道に位置合わせしてカメラで撮影したカメラ撮影画像を記憶するカメラ撮影画像記憶手段とを備えたコンピュータを、
前記被写体の断層位置の軌道を描画する描画手段、
前記描画された被写体の断層位置の軌道と前記カメラ撮影画像とを合成して表示手段に出力する合成手段、
表示された断層位置の軌道に対する選択および変形の指示を受け付けて前記選択および変形された軌道の描画を前記描画手段に指示する変更受付手段、
前記選択および変形された軌道の情報に基づいて前記複数のフレーム画像の重ね合わせ幅を求め、前記選択および変形された軌道の断層画像を再構成する画像再構成手段、
として機能させることを特徴とするパノラマ用画像処理プログラム。
【発明の詳細な説明】
【技術分野】
【０００１】
本発明は、Ｘ線撮影装置およびパノラマ用画像処理プログラムに係り、特に、一般医療用や歯科用の被写体をパノラマ撮影して記憶された複数のフレーム画像を重畳することで被写体の任意の断層の画像を再構成するＸ線撮影装置およびパノラマ用画像処理プログラムに関する。
【背景技術】
【０００２】
従来、歯科用のＸ線断層撮影装置として、パノラマ撮影装置が知られている（例えば、特許文献１および特許文献２参照）。特許文献１，２に開示された装置は、水平面（ＸＹ平面）で位置合わせされた歯列の位置において、歯列の鉛直面方向（Ｚ方向）の断層画像を取得し、１つの歯列に対して複数の断層画像（多断層画像）を表示可能に構成されている。
【０００３】
特許文献１および特許文献２に開示された技術は、Ｘ線源とＸ線撮像手段とを被検者の周りに旋回させながら被検者の１つの断層に対応した一連の撮影を行うことで複数のフレーム画像（フレームデータ）を取得し、記憶手段から読み出した各フレーム画像を所定距離ずつシフトさせながら加算する画像処理を行うことで、撮影対象の断層に関わらず任意断層のパノラマ画像を形成する。
【０００４】
このうち、特許文献１に開示されたパノラマ画像撮影装置では、利用者が、パノラマ画像を観察しながら、その画像上に、焦点をもっとも合わせたい関心のある局所的な領域を関心領域（ＲＯＩ：Region of Interest）として設定することができる。このパノラマ画像撮影装置には、チンレストにマウスピースが着脱自在に取り付けられている。パノラマ撮影時に、このマウスピースを被検者に咥えてもらうことで、チンレストおよびマウスピースが被検者の口腔部の固定機能を果たす。なお、これに関して、従来から、歯科用Ｘ線断層撮影装置において、歯列位置決めに関する技術が知られている（特許文献３および特許文献４参照）。
【特許文献１】特開２００７−１３６１６３号公報
【特許文献２】特開２００６−１８０９４４号公報
【特許文献３】特公平７−１１４７７３号公報
【特許文献４】特開平１０−３１４１６５号公報
【発明の開示】
【発明が解決しようとする課題】
【０００５】
しかしながら、特許文献１に記載の技術では、利用者の操作情報に応答して、関心領域で指定された、標準面のパノラマ画像上の関心領域のサイズを持つ断面から手前側又は奥側に位置をずらした断面を診る際に、そのずらした位置は、事前測定に用いたファントムの構造に規定されている。このため、利用者が所望する歯列の断層位置を自由に指定したり、その指定した断層位置を自由に見たりすることができない。したがって、自由に指定した歯列の断層位置において画像再構成を行うこともできない。また、利用者がドクターであれば、臨床上、被写体である歯列位置の再現性が重要となる。
【０００６】
そこで、本発明では、前記した問題を解決し、利用者が所望する被写体の断層位置で断層画像を再構成することのできる技術を提供することを目的とする。
【課題を解決するための手段】
【０００７】
前記課題を解決するため、請求項１に記載のＸ線撮影装置は、Ｘ線撮影用の基準位置に位置付けされた被写体にＸ線を照射するＸ線源と、前記被写体を透過したＸ線を受光するＸ線撮像手段と、前記Ｘ線源と前記Ｘ線撮像手段とを前記被写体が収まるように所定の間隔を空けて保持するアームを所定の回転中心の周りに回転させる旋回駆動手段と、前記基準位置への被写体の位置付けに対応して当該装置に予め定められた標準断層位置における前記被写体のＸ線撮影結果である複数のフレーム画像を記憶するフレーム記憶手段と、指定された断層位置のパノラマ断層画像を生成するパノラマ用画像処理手段と、前記パノラマ断層画像を表示する表示手段とを有するＸ線撮影装置であって、被写体の型を写し取るために位置付け用補助具に付着された印象材により採取された前記被写体の印象を、前記旋回駆動手段の回転軸方向から視た前記標準断層位置を示す標準撮影軌道に位置合わせしてカメラで撮影したカメラ撮影画像を記憶するカメラ撮影画像記憶手段を備え、前記パノラマ用画像処理手段が、前記旋回駆動手段の回転軸方向から視た前記被写体の断層位置の軌道を前記カメラ撮影画像上に重畳して表示手段に出力し、表示された断層位置の軌道に対する選択および変形の指示を受け付け、選択および変形された軌道の情報に基づいて前記複数のフレーム画像の重ね合わせ幅を求め、前記選択および変形された軌道の断層画像を再構成することにより前記パノラマ断層画像を生成することを特徴とする。
【０００８】
かかる構成によれば、Ｘ線撮影装置は、カメラ撮影画像記憶手段に、被写体の印象を標準撮影軌道に位置合わせした上で撮影したカメラ撮影画像を記憶し、標準断層位置における被写体のＸ線撮影結果をフレーム記憶手段に記憶している。そして、Ｘ線撮影装置は、パノラマ用画像処理手段によって、被写体の印象のカメラ撮影画像上に、被写体の断層位置の軌道を重畳して表示手段に出力する。ここで、被写体の断層位置としては、例えば装置固有の標準撮影軌道を採用できる。この標準撮影軌道は数多くの被写体の基本断層から統計的に求められるものであって、実際のＸ線撮影対象の個別の被写体の基本断層とは異なるものである。本発明のＸ線撮影装置は、被写体の印象のカメラ撮影画像上に、被写体の断層位置の軌道を例えば描画することで重畳するので、被写体の断層位置の軌道だけを表示して例えば標準撮影軌道だけに依存して選択する従来技術と比較すると、個別の被写体における所望の断層位置を容易に選択することが可能となる。
【０００９】
そして、本発明のＸ線撮影装置は、パノラマ用画像処理手段によって、表示された断層位置の軌道に対する選択および変形の指示を受け付ける。ここで、選択および変形の指示は、例えばＧＵＩにより、表示画面上の入力操作から受け付けることができる。そして、Ｘ線撮影装置は、パノラマ用画像処理手段によって、選択および変形された軌道の情報に基づいて複数のフレーム画像の重ね合わせ幅を求め、その断層位置における断層画像を再構成することでパノラマ断層画像を生成する。
【００１０】
また、請求項２に記載のＸ線撮影装置は、請求項１に記載のＸ線撮影装置において、前記選択および変形された軌道の情報に基づいて、前記被写体の選択および変形された軌道の位置と、前記標準断層位置とのずれに応じて、前記被写体の選択および変形された軌道の位置において再構成された断層画像を拡大または縮小することで前記ずれが無い場合に想定されている画像の大きさに対応した画像サイズに補正する画像サイズ補正手段を備え、前記表示手段が、前記画像サイズが補正された断層画像を前記パノラマ断層画像として表示することを特徴とする。
【００１１】
かかる構成によれば、Ｘ線撮影装置は、画像サイズ補正手段によって、再構成された断層画像を拡大または縮小し、選択および変形される前の標準撮影軌道に対応して予め設定されている表示画像のサイズと同じサイズで、標準断層位置からずれた位置において再構成された断層画像を表示することができる。そのため、個別の被写体における所望の断層位置の画像を、所望する他の断層位置の断層画像や他の被写体の断層画像と容易に比較することが可能となる。
【００１２】
また、請求項３に記載のＸ線撮影装置は、請求項１または請求項２に記載のＸ線撮影装置において、前記Ｘ線撮影用の基準位置および前記標準撮影軌道に位置合わせされた前記カメラを前記アームに備えることを特徴とする。
【００１３】
かかる構成によれば、Ｘ線撮影装置は、被写体の印象を撮影するカメラを、Ｘ線撮影用の基準位置および標準撮影軌道に位置合わせさせた状態で備えている。したがって、被写体の印象のカメラ撮影画像を容易に取得し、保存することができる。また、被写体の印象のカメラ撮影画像を取得するための位置合わせ装置等を別に用意する必要が無い。
【００１４】
また、請求項４に記載のパノラマ用画像処理プログラムは、被写体の指定された断層位置のパノラマ断層画像を生成するために、Ｘ線撮影装置により被写体の撮影対象の断層をパノラマ撮影することで取得された複数のフレーム画像を記憶したフレーム画像記憶手段と、被写体の型を写し取るために位置付け用補助具に付着された印象材により採取された前記被写体の印象を、前記Ｘ線撮影装置の標準撮影軌道に位置合わせしてカメラで撮影したカメラ撮影画像を記憶するカメラ撮影画像記憶手段とを備えたコンピュータを、前記被写体の断層位置の軌道を描画する描画手段、前記描画された被写体の断層位置の軌道と前記カメラ撮影画像とを合成して表示手段に出力する合成手段、表示された断層位置の軌道に対する選択および変形の指示を受け付けて前記選択および変形された軌道の描画を前記描画手段に指示する変更受付手段、前記選択および変形された軌道の情報に基づいて前記複数のフレーム画像の重ね合わせ幅を求め、前記選択および変形された軌道の断層画像を再構成する画像再構成手段として機能させることを特徴とする。このように構成されることにより、このプログラムをインストールされたコンピュータは、このプログラムに基づいた各機能を実現することができる。
【発明の効果】
【００１５】
本発明によれば、Ｘ線撮影装置は、被写体の印象のカメラ撮影画像上に、被写体の断層位置の軌道を重畳して表示し、表示された断層位置の軌道の選択および変形により断層位置の指定を受け付け、その断層位置における断層画像を再構成することができる。したがって、利用者が所望する被写体の断層位置で断層画像を再構成することができる。その結果、その表示を視る利用者にとって使い易い画像を生成することができる。
【発明を実施するための最良の形態】
【００１６】
以下、図面を参照して本発明のＸ線撮影装置を実施するための最良の形態（以下「実施形態」という）について詳細に説明する。
【００１７】
［Ｘ線撮影装置の全体構成］
図１は、本発明の実施形態に係るＸ線撮影装置を模式的に示す構成図である。Ｘ線撮影装置１は、パノラマ撮影（パノラマＸ線断層撮影法）によって、被写体（人物）の上顎／下顎における歯列に沿った所定の断層におけるＸ線像を撮影して歯科用の断層画像を生成するものである。このＸ線撮影装置１は、図１に示すように、Ｘ線源２と、Ｘ線撮像手段３と、旋回駆動手段４と、Ａ／Ｄ変換手段５と、画像記憶手段６と、パノラマ用画像処理手段７と、処理画像記憶手段８と、全画像表示記憶手段９と、第１出力手段１０と、カメラ１１と、補助具（位置付け用補助具）１２と、画像記憶手段１３と、カメラ画像用処理手段１４と、処理画像記憶手段１５と、全画像表示記憶手段１６と、第２出力手段１７と、第１入力手段１８と、第２入力手段１９とを備えている。
【００１８】
［Ｘ線撮影装置の概要］
＜パノラマ断層画像＞
Ｘ線撮影装置１により生成表示されるパノラマ断層画像（以下、単に断層画像ともいう）について図２を参照して説明する。図２は、被写体としての歯列に対応するように割り当てられた複数の断層を示す説明図である。図２に示す状態では、Ｘ線源２は、被写体である人物の歯列の臼歯部ｄ側からＸ線を照射し、当該歯列の前歯部ｃ側において、Ｘ線撮像手段３が受光しているが、撮影中には、Ｘ線源２およびＸ線撮像手段３は回転し、回転中心Ｏの位置はスライドする。図２では、歯列の前後の奥行き方向の中央に基本断層ｂ0をとり、歯列の奥行き方向の後側（内側）に舌側断層ｂm、前側（外側）に頬側断層ｂnを例示した。ここで、ｍは舌側方向の断層の識別情報（ｍ＝−１，−２，−３，…）、ｎは頬側方向の断層の識別情報（ｎ＝１，２，３，…）をそれぞれ示す。ただし、図２では、舌側方向断層、頬側方向断層とも１つずつ例示した。断層は、頬側ほど回転中心Ｏから遠いので、パノラマ断層画像の横幅はその分長くなる。なお、被写体が人体の歯列である場合には、基本断層ｂ0は、回転中心Ｏから前歯部ｃ側の１番の中切歯までの距離が例えば５０ｍｍ程度、舌側方向断層、頬側方向断層は、基本断層ｂ0から例えば±３０ｍｍ程度までの領域に設定することが好ましい。
【００１９】
＜関心領域（ＲＯＩ）＞
Ｘ線撮影装置１が、第１入力手段１８によって受け付ける操作入力情報としての関心領域（ＲＯＩ）について説明する。図３は、入力された関心領域（ＲＯＩ）の一例を示す図であって、（ａ）は画面表示されたパノラマ断層画像上で指定されたＲＯＩ、（ｂ）は指定されたＲＯＩに対応した奥行き方向の各断層をそれぞれ示している。関心領域（ＲＯＩ）３０１は、利用者が断層画像を得たい領域（表示したい領域）として指定するものであり、図３（ａ）に破線で示すように、基本断層に対して再構成処理されたパノラマ断層画像上で例えば矩形の領域で示される。関心領域の範囲は、２次元座標値で指定される。利用者が、例えばマウスのクリック・アンド・ドラッグ操作で関心領域３０１を選択すると、パノラマ用画像処理手段７は選択された領域の座標値を検出する。
【００２０】
この関心領域（ＲＯＩ）３０１を選択することは、歯列において、図３（ｂ）の扇状の範囲を指定したことになる。つまり、図３（ａ）の関心領域３０１の左境界線３０２や右境界線３０３は、図３（ｂ）では、基本断層上の点で表される。そして、図３（ｂ）において基本断層上の点で表された左境界線３０２や右境界線３０３を指定したということは、図３（ｂ）において、直線３０４，３０５を指定したことになる。なお、関心領域（ＲＯＩ）３０１としてパノラマ断層画像全体を指定することも可能であるが、以下では、関心領域の指定があるときにはパノラマ断層画像の一部に関心領域が設定され、関心領域の指定がないときにはパノラマ断層画像全体に関心領域が設定されることとする。
【００２１】
図４は、本発明の実施形態に係るＸ線撮影装置のパノラマ用画像処理手段がＲＯＩからフレーム画像を抽出する処理を示す説明図である。ここで、標準撮影軌道の位置のパノラマ断層画像をＢ0と表記した。図４に示すように、パノラマ断層像画像Ｂ0上で矩形の関心領域の左上点およびその対角である右下点の２次元座標値がそれぞれ（ｘ，ｙ）、（ｘ1，ｙ1）として検出された場合には、パノラマ用画像処理手段７は、パノラマ断層画像Ｂ0の全体を構成しているすべてのフレーム画像ｇのうち、パノラマ断層画像Ｂ0において水平方向の座標ｘの地点から図中右側に幅（ｘ1−ｘ）の領域の部分を構成している複数のフレーム画像ｇを、抽出すべきフレーム画像ｇとして特定する。
【００２２】
利用者が図３（ａ）の関心領域３０１を選択すると、図４に示したように基本断層の位置（標準撮影軌道の位置）で撮影された全フレーム画像ｇのうち再構成処理に用いるべき複数のフレーム画像ｇが指定されたことになる。ただし、利用者が基本断層以外の断層位置の断層画像の表示を希望する場合には、関心領域３０１の選択だけでは足りない。
【００２３】
ここで、仮に、図３（ｂ）に示したような基本断層の位置を含む歯列の平面図を画面表示により利用者に提示し、利用者から、例えば基本断層より１本内側の断層位置等を指定する情報を受け付けるといったことが考えられる。しかしながら、図３（ｂ）に示した歯列の平面図は、その基本断層の位置と、Ｘ線撮影装置１の装置で標準的に予め決められている標準撮影軌道の位置に対応したものである。つまり、図３（ｂ）に示した歯列の平面図の基本断層の位置は、数多くの被検者の協力で統計的に求められた理論的な歯列位置に対応しているものである。そのため、Ｘ線撮影対象の患者（被写体）をＸ線撮影装置１に位置づけしたときに、実際の歯列が、図５に示すように、理論的な歯列よりも例えば内側に位置する場合には、そのＸ線撮影対象の患者（被写体）の歯列の中央の断層位置と、理論的な歯列の基本断層の位置（標準撮影軌道の位置）との間にずれが生じる。そのため、Ｘ線撮影装置１の利用者（ドクター）が、Ｘ線撮影対象の患者（被写体）の歯列から実際に観察したい断層位置を、図３（ｂ）に示した歯列の平面図から選択することは難しい。
【００２４】
そこで、本発明では、実際のパノラマ断層画像の再構成処理対象である、Ｘ線撮影対象の患者（被写体）の歯列の印象を事前に採取し、この印象のカメラ撮影画像を、Ｘ線撮影装置１の利用者（ドクター）が、所望の断層位置を選択するための画面表示に用いることとしたものである。
【００２５】
［Ｘ線撮影装置の各部の構成］
図１に戻って、Ｘ線撮影装置１の各部の構成を説明する。
Ｘ線源２は、図示しないスリットを有しており、このスリットを介して、Ｘ線撮影装置１のＸ線撮影用の基準位置に位置付けされた被写体にＸ線を照射することにより生成されるスリット状のビーム（Ｘ線ビーム）を所定のタイミングで被写体に照射するものである。ここで、被写体が位置付けされるＸ線撮影用の基準位置とは、例えば、撮影される人物が顎を載置する台であるチンレストの所定位置を示す。このＸ線撮影用の基準位置への被写体の位置付けに対応して、Ｘ線撮影装置１には標準断層位置が予め定められている。Ｘ線撮影装置１の旋回駆動手段４の回転軸方向から標準断層位置を視たときの軌道は、標準撮影軌道である。
【００２６】
Ｘ線撮像手段３は、Ｘ線源２から照射されて被写体を透過したＸ線を受光して、被写体のＸ線が透過した部分を所定のフレームレートで撮像するものである。Ｘ線撮像手段３は、Ｘ線イメージセンサやＸ線検出器、またはそれらの組合せである。ここで、イメージセンサは、例えば、ＣＣＤ（Charge Coupled Device）イメージセンサ、ＣＭＯＳイメージセンサ、ＴＦＴ（Thin Film Transistor）センサ、ＣｄＴｅセンサ等である。また、Ｘ線検出器は、Ｘ線イメージインテンシファイア（Image Intensifier：Ｉ．Ｉ．）、フラットパネル検出器(Flat Panel Detector:ＦＰＤ)等である。本実施形態では、Ｘ線撮像手段３は、ＣＭＯＳイメージセンサであるものとして説明する。この場合、１画素サイズを、例えば１００μｍとすることができる。
【００２７】
旋回駆動手段４は、アーム４ａにＸ線源２とＸ線撮像手段３とを所定の間隔を空けて保持し、モータやアクチュエータ等の駆動により、アーム４ａを所定の角速度で回転するように旋回させる。この間隔は、Ｘ線源２とＸ線撮像手段３との間に被写体Ｋが収まるように、例えば、３０ｃｍ〜１ｍに設定される。なお、Ｘ線源２の照射部とＸ線撮像手段３の受光面とは対向して配置される。また、アーム４ａは、回転中心Ｏの周りに回転可能に構成され、さらに回転中心Ｏを移動させるスライド動作が可能に構成されている。これにより、Ｘ線源２とＸ線撮像手段３とが所定の間隔を維持したまま、Ｘ線撮像手段３は、被写体の周囲の任意の方向の断層画像を撮影することができる。
【００２８】
この旋回駆動手段４と、Ｘ線源２と、Ｘ線撮像手段３とは、図示しないコントローラにより制御され、旋回駆動手段４がアーム４ａを旋回しながらＸ線源２がＸ線を照射して撮影を繰り返し、Ｘ線の照射タイミングに同期してＸ線撮像手段３が被写体のＸ線像としてのフレーム画像（単純Ｘ線撮影像）を連続的に撮像してＡ／Ｄ変換手段５に出力する。
【００２９】
Ａ／Ｄ変換手段５は、Ｘ線撮像手段３の出力信号（フレーム画像）を取得し、Ａ／Ｄ変換（analog to digital translation）し、Ａ／Ｄ変換したＸ線撮像手段３の出力信号（フレーム画像）を、画像記憶手段６に格納する。パノラマ用画像処理手段７は、画像記憶手段６から、そのフレーム画像を読み出して、これを用いて画像再構成処理した結果を、処理画像として処理画像記憶手段８に保存する。つまり、パノラマ用画像処理手段７は、Ａ／Ｄ変換手段５が変換して出力したフレーム画像を取得してそれを処理する。
【００３０】
画像記憶手段６と、パノラマ用画像処理手段７と、処理画像記憶手段８と、全画像表示記憶手段９とは、例えば、一般的なコンピュータ（計算機）で実現することができ、ＣＰＵ（Central Processing Unit）と、ＲＡＭ（Random Access Memory）と、ＲＯＭ（Read Only Memory）と、ＨＤＤ（Hard Disk Drive）と、入力／出力インタフェースとを含んで構成されている。
【００３１】
画像記憶手段（フレーム画像記憶手段）６は、Ｘ線撮像手段３で撮像されてＡ／Ｄ変換された被写体のＸ線像としてのフレーム画像を記憶するものであり、一般的な画像メモリやハードディスク等から構成される。このフレーム画像は、Ｘ線撮影用の基準位置への被写体の位置付けに対応して予め定められた標準断層位置における被写体のＸ線撮影結果である。
【００３２】
処理画像記憶手段８は、パノラマ用画像処理手段７で再構成処理結果として生成された複数枚の処理画像を記憶するものであり、一般的な画像メモリやハードディスク等から構成される。この処理画像記憶手段８は、パノラマ用画像処理手段７による画像の合成等の処理のために使用される。
【００３３】
全画像表示記憶手段９は、パノラマ用画像処理手段７で再構成処理結果として生成され第１出力手段１０に表示すべき断層画像（指定された断層に対応した断層画像）を記憶するものであり、一般的な画像メモリ等から構成される。この断層画像は、例えば、輝度値で表される。
【００３４】
第１出力手段（表示手段）１０は、パノラマ断層画像を表示するモニタであって、例えば、ＣＲＴ（Cathode Ray Tube）、液晶ディスプレイ（ＬＣＤ：Liquid Crystal Display）、ＰＤＰ（Plasma Display Panel）、ＥＬ（Electronic Luminescence）等から構成される。第１出力手段１０は、第１入力手段１８により指定されて生成表示される断層画像に対応した断層ごとに、パノラマ用画像処理手段７で処理された断層画像を連続的に出力することができる。
【００３５】
第１入力手段１８は、例えば、マウス、キーボード、ディスクドライブ装置などから構成される。本実施形態では、第１入力手段１８は、生成表示される断層画像を指定するためにパノラマ用画像処理手段７に入力される情報として、基本断層ｂ0に対して再構成処理されたパノラマ断層画像上において関心領域（ＲＯＩ：Region of Interest）の範囲を示す２次元座標値や、関心領域に含まれる断層（断層域）を指定するための操作入力情報の入力を受け付ける。
【００３６】
このために、第１入力手段１８は、コンピュータに対してマウスやタッチパネルなどのポインティングデバイスを用いてデータを入力するＧＵＩ（グラフィカル・ユーザ・インタフェース）を含み、このポインティングデバイスの操作位置座標をパノラマ用画像処理手段７に入力する。これにより、パノラマ用画像処理手段７は、第１入力手段１８から入力された操作位置座標に基づいて、断層位置の軌道を描画して第１出力手段１０に出力する。
【００３７】
パノラマ用画像処理手段７は、Ａ／Ｄ変換手段５の出力信号としてフレーム画像を取得し、画像記憶手段６に格納する。このパノラマ用画像処理手段７は、画像再構成処理の機能と、利用者が断層位置を選択するための画像を表示する機能とを有している。パノラマ用画像処理手段７は、画像再構成処理の機能として、画像記憶手段６に記憶された複数のフレーム画像を処理画像記憶手段８に展開して水平方向に重ね合わせることにより、任意の指定された断層位置のパノラマ断層画像を再構成する。再構成された断層画像は、全画像表示記憶手段９を介して第１出力手段１０に出力される。
【００３８】
また、パノラマ用画像処理手段７は、画像再構成処理の前処理として、第１入力手段１８で入力されたパノラマ断層画像Ｂ0の２次元座標値の水平方向の値に基づいて、関心領域（ＲＯＩ）の選択を受け付け、さらに、後記する断層域選択画面で指定される断層位置に基づいて、パノラマ断層画像Ｂ0を構成する全フレーム画像のうち関心領域を構成するフレーム画像を抽出する。なお、パノラマ用画像処理手段７の処理の詳細は後記する。
【００３９】
補助具（位置付け用補助具）１２には、被写体の型を写し取るための印象材が付着される。補助具１２は、Ｘ線撮影装置１に対して着脱自在なものである。補助具１２としては、例えば、Ｘ線撮影の対象である被写体をＸ線撮影装置１に対して位置づけするための補助的な市販器具を用いることができる。
【００４０】
カメラ１１は、補助具１２に付着された印象材に写し取られた印象を撮影するものであり、デジタル出力を持つ汎用的なカメラで構成される。カメラ１１は、被写体の印象を、旋回駆動手段４の回転軸方向から視た標準断層位置を示す標準撮影軌道に位置合わせして真上から撮影する。このために、カメラ１１は、アーム４ａの所定位置に、Ｘ線撮影用の基準位置および標準撮影軌道に位置合わせされた状態で固定されている。この撮影により取得された画像を、単に、カメラ撮影画像という。
【００４１】
画像記憶手段１３、カメラ画像用処理手段１４、処理画像記憶手段１５、全画像表示記憶手段１６、第２出力手段１７および第２入力手段１９は、印象のカメラ撮影画像のための構成であって、それぞれ、前記したＸ線撮影画像のための構成である画像記憶手段６、パノラマ用画像処理手段７、処理画像記憶手段８、全画像表示記憶手段９、第１出力手段１０および第１入力手段１８と同様なものである。したがって、説明を適宜省略し、異なる機能を説明する。なお、これら印象のカメラ撮影画像のための構成と、Ｘ線撮影画像のための構成とを分けることなく共通な構成で共用することもできる。
【００４２】
画像記憶手段１３は、カメラ１１で撮影された印象のカメラ撮影画像を記憶する。
カメラ画像用処理手段１４は、パノラマ用画像処理手段７を介して第１入力手段１８から入力されるコマンドに基づいて、指定された印象のカメラ撮影画像を画像記憶手段１３から読み出す。そして、読み出したカメラ撮影画像を処理画像記憶手段１５に展開して、コマンドに基づいて、例えば、移動、回転、拡大／縮小等の処理を行う。なお、例えば、第２入力手段１９から入力されるコマンドに基づいて同様の処理を行うように構成することもできる。
【００４３】
全画像表示記憶手段１６は、カメラ画像用処理手段１４の処理結果として生成されたカメラ撮影画像（指定された印象のカメラ撮影画像）を記憶するものであり、このカメラ撮影画像を、カメラ画像用処理手段１４と同様にコマンドに基づいて、第２出力手段１７に出力する。なお、カメラ撮影画像を第１出力手段１０に出力してもよい。
【００４４】
第２出力手段１７は、印象のカメラ撮影画像を表示する。なお、第２出力手段１７は、第１出力手段１０と独立なデバイスである必要はなく、第１出力手段１０の表示画面を用いて別の表示モードを表示するようにしても良いし、第１出力手段１０の表示する全画面のうちの一部の領域に小画面で表示するようにしてもよい。
【００４５】
第２入力手段１９は、印象のカメラ撮影画像を取得、保存するためにカメラ１１の動作を操作するためのコマンドや画像のファイル名といった必要な情報を入力するためのものである。本実施形態では、一例として、第２出力手段１７のモニタに「印象撮影」ボタンを表示し、これをマウス等でクリックすることでカメラ撮影を行うものとする。
【００４６】
このＸ線撮影装置１において、前記したパノラマ用画像処理手段７は、旋回駆動手段４の回転軸方向から視た被写体の断層位置の軌道をカメラ撮影画像上に重畳して第１出力手段１０に出力し、表示された断層位置の軌道に対する選択および変形の指示を受け付け、選択および変形された軌道の情報に基づいて複数のフレーム画像ｇの重ね合わせ幅を求め、選択および変形された軌道の断層画像を再構成することによりパノラマ断層画像を生成する。
【００４７】
［Ｘ線撮影装置の作業の流れと処理の流れ］
次に、Ｘ線撮影装置１における作業の流れと処理の流れについて図６を参照して説明する。図６は、本発明の実施形態に係るＸ線撮影装置を用いた作業の流れと処理の流れを示すフローチャートである。Ｘ線撮影装置１の利用者が行う作業の流れは、大きく３つのフェーズに分けることができる。第１フェーズは、Ｘ線撮影装置１によるＸ線撮影対象である被写体（患者）から写し取る印象の撮影画像を取得する第１事前作業である。第２フェーズは、Ｘ線撮影対象である被写体（患者）のパノラマ画像を取得する第２事前作業である。第３フェーズは、Ｘ線撮影装置１によって、ＲＯＩの画像とナビゲート表示を生成するための選択操作を行うメイン作業である。
【００４８】
＜第１フェーズ＞
まず、利用者は、印象材付補助具により被写体（患者）の歯列の印象を採取し（ステップＳ１）、印象を採取した印象材付補助具をＸ線撮影装置１に取り付ける（ステップＳ２）。そして、利用者は、採取した印象を真上からカメラ１１で撮影し（ステップＳ３）、カメラ撮影画像をＸ線撮影装置１に取り込む（ステップＳ４）。
【００４９】
＜第２フェーズ＞
次に、利用者は、被写体（患者）を導入し、Ｘ線撮影装置１に位置付ける（ステップＳ５）。そして、利用者は、Ｘ線撮影装置１によって、歯列のパノラマ画像をＸ線撮影し（ステップＳ６）。撮影した標準断層位置のパノラマ画像をモニタ（第１出力手段１０）に表示させる（ステップＳ７）。前記したステップＳ５において、被写体（患者）をＸ線撮影装置１に位置付ける方法は、例えば、印象材付補助具を取り外して患者をチンレスト２６に固定することにより行う。なお、患者に印象材付補助具を咬んでもらうことで位置付けすることもできる。
【００５０】
＜第３フェーズ＞
Ｘ線撮影装置１は、パノラマ画像をモニタ（第１出力手段１０）に表示すると共に、第２出力手段１７では、印象のカメラ撮影画像を表示する断層域選択画面において、現在選択されている断層位置を表す軌道を重畳してナビゲート表示する（ステップＳ７）。なお、現在選択されている断層位置を表す軌道の初期状態は、図１７（ａ）に示すように、Ｘ線撮影装置１で予め決まっている基本断層の軌道（標準撮影軌道）である。
【００５１】
ここで、利用者は、モニタ上でＲＯＩを選択し、第２出力手段１７の画面上で所望の断層位置を選択することができる。Ｘ線撮影装置１は、ＲＯＩの断層が新たに選択されたか否かを判別する（ステップＳ９）。ＲＯＩの断層が新たに選択された場合（ステップＳ９：Ｙｅｓ）、Ｘ線撮影装置１は、新たに選択された断層位置の断層画像を再構成し（ステップＳ１０）、図１７（ｂ）に示すように、再構成されたパノラマ画像をモニタ（第１出力手段１０）にあらためて表示し（ステップＳ１１）、ステップＳ８に戻る。なお、断層が新たに選択されずに、終了コマンドが実行された場合（ステップＳ９：Ｎｏ）、Ｘ線撮影装置１は処理を終了する。
【００５２】
（補助具の構成例）
図７は、本発明の実施形態に係るＸ線撮影装置に装着される補助具の一例を示す平面図である。補助具１２は、例えば透明な樹脂で構成され、歯列に対応してＵ字状に形成され、このＵ字部には、図８に示すように印象材２１が付着される。なお、図８では、印象２２が既に写し取られた状態を図示している。補助具１２には、印象材が固着し易いようにＵ字部の適所に穴が設けられている。また、Ｕ字部の正中線６０１の位置に鉄球６０２が埋め込まれている。なお、図７に示すように、補助具１２には、印象材を付着させない位置に、ねじ止め可能な穴を有する係止部が設けられている。
【００５３】
（補助具の位置合わせ）
補助具１２が、Ｘ線撮影装置１に装着される位置は、次のように位置合わせされる位置である。すなわち、補助具１２の正中線６０１の位置に埋め込まれた鉄球６０２と、Ｘ線撮影装置１の正中線と、Ｘ線撮影装置１の撮影軌道の前歯部側の頂点（基準位置）との位置が一致する位置である。なお、本実施形態のＸ線撮影装置１は、Ｘ線撮影装置１において被写体を固定するときの正中線と、Ｘ線撮影装置１の撮影軌道の前歯部側の頂点（基準位置）との位置が一致するように構成されていることは、後記する３Ｄファントムで検証されているものとしている。
【００５４】
（カメラ取付位置）
カメラ１１は、前記したように補助具１２がＸ線撮影装置１に装着される位置に合わせて、真上から補助具１２を撮影できる位置に取り付けられている。この取り付け位置の詳細について図９を参照して説明する。図９は、図１にブロック図で示した示すＸ線撮影装置１の外観の一例を示している。図９に示すＸ線撮影装置１において、床に固定されたベース２３上に設けられた支柱２４に対して旋回駆動手段４が上下に移動できるように接続されている。ここでは、外観を簡略化して示しているので、旋回駆動手段４のアーム４ａが保持するＸ線源２とＸ線撮像手段３とはそれぞれ専用ユニットに収納されており、また、図１に示したパノラマ用画像処理手段７等の制御部、操作部、表示部は支柱２４の上部のコントローラ２５に一括収納されているものとしている。
【００５５】
図９の破線６０３で示す領域の拡大図に示すように、Ｘ線撮影装置１は、Ｘ線撮影時に被写体（患者）を位置付けするための上下に移動可能なチンレスト２６を備えている。前記した第２フェーズにおいて、被写体（患者）を位置付けする場合、例えば、チンレスト２６から補助具１２を取り外し、人物が図９において右側を正面として１番の中切歯で位置付けされる。このとき、前後に移動可能なフォアヘッドサポート２７で前頭部が固定され、左右に移動可能なサイドヘッドサポート２８で側頭部が左右から固定される。
【００５６】
一方、前記した第１フェーズにおいて、印象のカメラ撮影画像を取得する場合、補助具１２をチンレスト２６に水平に固定する。固定する際には、補助具１２の正中線６０１の位置に埋め込まれた鉄球６０２と、Ｘ線撮影装置１の正中線とを一致させる。そして、この一致した状態で、補助具１２の正中線６０１の位置に埋め込まれた鉄球６０２と、アーム４ａの下面とを鉛直方向で結ぶ線が、アーム４ａの下面に交わる位置であるカメラ取付位置６０４にカメラ１１が取り付けられる。
【００５７】
より詳細には、カメラ取付位置６０４は、カメラ１１のレンズ中心そのものである必要はなく、図１０に示すように、カメラ１１の画角に印象２２や鉄球６０２が含まれればよい。図１０において、Ｈｂは、Ｘ線撮影装置１に固定された補助具１２のＵ字部の縦方向（以下、単に高さという）において画角に収まっている実際の距離を表している。ここで、添字の「ｂ」は実際の距離であることを示す。また、図１０において、ｈはカメラ１１から補助具１２までの実際の距離の一例を表している。なお、本実施形態では、一例として、距離は、ｍｍを単位として測定することとする。
【００５８】
カメラ撮影画像６０５は、図１０に示す画角に対応して補助具１２に印象材２１を付着していない状態で取得したものである。このカメラ撮影画像６０５の寸法を示すＨｃは、補助具１２の画像のＵ字部の縦方向（以下、単に高さという）をピクセル（pixel）単位で表したものを示す。ここで、ｃはカメラ画像であることを示す。また、カメラ撮影画像６０５の寸法を示すＷｃは、補助具１２の画像のＵ字部の横方向（以下、単に幅という）をピクセル（pixel）単位で表したものを示す。なお、補助具１２の実寸と、カメラ撮影画像６０５のピクセル数との対応を求める計算式については、後記する。
【００５９】
前記したステップＳ４に対応してカメラ撮影画像６０５の取り込みプロセスの一例を図１１に示す。この場合、利用者は、Ｘ線撮影装置１のモニタ（第２出力手段１７）に表示された「印象撮影」ボタンをクリックする（ステップＳ２１）。これに応じて、Ｘ線撮影装置１は、カメラ１１によって撮影したカメラ撮影画像６０５を転送し、画像記憶手段１３に保存する。
【００６０】
Ｘ線撮影したパノラマ断層画像Ｂ0をもとに別の断層を再構成しようとするとき、再構成においてもととする基本断層位置は、設定した撮影モードにおける標準撮影軌道と同じである。このことから、以下のように撮影軌道をカメラ画像上に配置することで、現在表示している断層位置を得ることができる。
【００６１】
前記したステップＳ８に対応して、断層域選択画面のナビゲート表示の初期状態について図１２を参照して説明する。初期状態では、撮影軌道表示処理プロセスは、より詳細には、次の工程を含む。まず、Ｘ線撮影装置１は、パノラマ用画像処理手段７によって、カメラ撮影画像を読み込み（ステップＳ３１）、撮影モードに対応した撮影軌道座標テーブルを読み込む（ステップＳ３２）。本実施形態では、撮影モードは、成人用の標準パノラマモードと、小児用のパノラマモードとを有している。そして、Ｘ線撮影装置１は、成人用の標準パノラマモードで用いる撮影軌道座標値を予め登録したテーブル（単に標準テーブルという）と、小児用のパノラマモードで用いる撮影軌道座標値を予め登録したテーブル（単に小児テーブルという）とを予め記憶手段に格納している。ここで、撮影軌道座標値は、後記する検証用の３Ｄファントムに基づいて登録されているものとする。なお、ステップＳ３１は、ステップＳ３４の前であれば、その順序は限定されず、並列処理も可能である。
【００６２】
ステップＳ３２に続いて、Ｘ線撮影装置１は、カメラ撮影画像上に配置する撮影軌道座標値を算出する（ステップＳ３３）。この処理は、後記する検証用の３Ｄファントム上の実寸距離に対応した座標値を、画像上の座標値（画面上のピクセル値）に変換する処理である。なお、本実施形態のようにカメラ１１を固定して実寸とピクセル値との対応が不変であれば、記憶するテーブルの段階でピクセル値に換算しておくことも可能である。
【００６３】
続いて、Ｘ線撮影装置１は、算出した座標値をカメラ撮影画像上に配置する（ステップＳ３４）。すなわち、算出した座標値の位置にＣＧ等で描画する。そして、Ｘ線撮影装置１は、配置した座標値をもとに、第２出力手段１７に描画した断層位置を表示する（ステップＳ３５）。描画に用いるＣＧ画像は、特に限定されないが、図１７に示すように、例えば歯の個数と同じ数の比較的大きなドット（ポイント）と、ポイント間を結ぶラインとを用いることができる。なお、ラインは直線に限らず、滑らかに補間する曲線等でもよい。ポイントの個数もこれに限らない。
【００６４】
（検証用ファントム）
前記したように、Ｘ線撮影装置１は、補助具１２を装着したときにその位置合わせが完了するように構成されている。このことを裏付ける検証用の３Ｄファントムについて図１３および図１４を参照して説明する。なお、この検証は、Ｘ線撮影装置１が利用者に利用される前に、Ｘ線撮影装置１を製造して利用可能に完成した後に行うものである。したがって、Ｘ線撮影装置１を用いた作業の流れや処理プロセスに現れるものではない。
【００６５】
図１３に３Ｄファントム６０６の鳥瞰図の一例を示す。３Ｄファントム６０６は、図１３において左側が最も高い平面になっており、右側、上側、下側に向かうほど低くなっている。３Ｄファントム６０６は、Ｘ線撮影装置１の標準撮影軌道６０７に対応して作成されているものである。標準撮影軌道６０７のうち、図１３において右半分が歯列に対応し、左半分が頭蓋骨の顎部等に対応している。
【００６６】
図１３において、６０８の符号で示す直線と、標準撮影軌道６０７との交点（計２５箇所）が、標準テーブルに予め登録された撮影軌道座標に対応している。この撮影軌道座標は、原点０を基準にしている。その値を（Ｘ0，Ｙ0）とする。原点０から図１３において上側の交点の位置を順番に「１，…，１２」で図示し、「左側１番，…，左側１２番」と呼び、それら交点の座標値を、（ＸＬ１，ＹＬ１），…，（ＸＬ１２，ＹＬ１２）とする。同様に、原点０から図１３において下側の交点の位置を順番に「１，…，１２」で示し、「右側１番，…，右側１２番」と呼び、それら交点の座標値を、（ＸＲ１，ＹＲ１），…，（ＸＲ１２，ＹＲ１２）とする。
【００６７】
図１４には、小児用撮影軌道６０９を３Ｄファントム６０６上に示す。小児用撮影軌道６０９は、標準撮影軌道６０７より小さいだけで同様なものなので、説明を省略し、以下では、図１３に示した標準撮影軌道６０７を用いて説明する。
【００６８】
次に、標準撮影軌道６０７と、補助具１２との位置合わせについて図１５を参照して説明する。Ｘ線撮影装置１では、標準撮影軌道６０７の一点である図１３の原点０を、図１５に示す補助具１２の鉄球６０２に位置合わせしている。図１５は、実物に相当する補助具１２の実寸と、その平面座標との関係を示す図である。
【００６９】
補助具１２の実寸を図１５に示すように定義する。ここで、Ｈｂは、前記したように、Ｘ線撮影装置１に固定された補助具１２のＵ字部の高さにおいて画角に収まっている実際の距離を表している。また、Ｗｂは、補助具１２のＵ字部の幅において画角に収まっている実際の距離を表している。平面座標の原点を、図１５に示す（０，０）の位置に設定する。このとき、平面座標の原点（０，０）を基準にした鉄球６０２の位置座標までのＵ字部の高さ方向（ｘ座標）における実寸をＨａで示す。同様に、鉄球６０２の位置座標までのＵ字部の幅方向（ｙ座標）における実寸をＷａで示す。
【００７０】
図１５に示す補助具１２の実寸と、図１０に示す補助具１２の画像であるカメラ撮影画像６０５のピクセル数との関係から、式（１）に示すように、１ピクセル当たりの長さＬp［ｍｍ／pixel］を求めることができる。
【００７１】
Ｌp＝Ｗｂ／Ｗｃ  …  式（１）
【００７２】
この式（１）を用いて、前記したステップＳ３３においてカメラ撮影画像上に配置する撮影軌道座標値を算出する方法を説明する。図１５に示すように、平面座標の原点（０，０）から、補助具１２の正中位置の鉄球６０２までの距離が、幅Ｗａ［ｍｍ］および高さＨａ［ｍｍ］である場合ということは、次のように言い換えることができる。すなわち、図１５に示す平面座標の原点（０，０）を、図１３に示した３Ｄファントム６０６の原点０の座標値（Ｘ0，Ｙ0）に置き換えると、平面座標の原点（０，０）のｙ座標である実寸値Ｙ０［ｍｍ］から鉄球６０２までの実際の幅がＷａ［ｍｍ］となる。同様に、平面座標の原点（０，０）のｘ座標である実寸値Ｘ０［ｍｍ］から鉄球６０２までの長さ（高さ）がＨａ［ｍｍ］となる。
【００７３】
したがって、図１０に示す補助具１２のカメラ撮影画像において、平面座標の原点（０，０）を図１５と同様な位置に設定すれば、平面座標の原点（０，０）のｘ座標から、補助具１２の正中位置の鉄球６０２の画像の位置までの幅方向のピクセル数は、前記した式（１）を用いることで、式（２）で算出されることになる。同様に、平面座標の原点（０，０）のｙ座標から、補助具１２の正中位置の鉄球６０２の画像の位置までの高さ方向のピクセル数は、式（３）で算出されることになる。
【００７４】
Ｗａ／Ｌｐ（pixel）  …  式（２）
Ｈａ／Ｌｐ（pixel）  …  式（３）
【００７５】
図１３および図１５で定義した平面座標をもとに、原点（０，０）＝原点０（Ｘ0，Ｙ0）から、図１３に示す標準撮影軌道６０７と、直線６０８との各交点までの水平方向の距離（高さ）および垂直方向の距離（幅）の実寸を算出することができる。その一例を表１に示す。なお、水平方向および垂直方向の距離を算出する際、求めた値は絶対値をとったものとする。
【００７６】
【表１】
2010148676.tif 000003
【００７７】
この表１に示した水平方向および垂直方向の距離［ｍｍ］を、前記した式（１）に示す１ピクセル当たりの長さＬp［ｍｍ／pixel］で割ることで、カメラ撮影画像上に描画する際に必要なピクセル位置を算出することができる。この換算値を表２に示す。
【００７８】
【表２】
2010148676.tif 000004
【００７９】
次に、前記したステップＳ９〜Ｓ１１で示した関心領域の断層選択および表示プロセスの一例について図１６を参照して説明する。Ｘ線撮影装置１は、利用者の操作によって第１入力手段１８から表示画面の選択指示を受け付けると、第１出力手段１０や第２出力手段１７のモニタに、所望の断層域を設定するための断層域選択画面を表示する。このとき、図１７（ａ）に示すように、印象のカメラ撮影画像上に、基本断層（標準撮影軌道）が重畳して表示される。このようにパノラマ撮影の基本断層（標準撮影軌道）を、印象のカメラ撮影画像上に表示することで、利用者は、Ｘ線撮影対象の被写体（患者）の実際の歯列が、Ｘ線撮影装置１で予め設定されている基本断層から、どの程度ずれが発生しているかを明確に知ることができる。
【００８０】
そして、利用者は、モニタに表示された断層域選択画面において、基本断層（標準撮影軌道）のポイントを、マウス操作にて利用者が所望する関心領域の断層に合わせる（ステップＳ４１）。操作により移動したポイントの位置情報は、第１入力手段１８からパノラマ用画像処理手段７に入力する。パノラマ用画像処理手段７は、取得した位置座標に基づいて、図１７（ｂ）に示すように断層位置の軌道を描画して第１出力手段１０に出力する。利用者は、移動後に表示された軌道を確認することで、微妙なマウス操作を行うことができる。
【００８１】
そして、利用者は、断層域選択画面において、画面表示される図示しない「設定」ボタンをマウスでクリックする（ステップＳ４２）。これにより、Ｘ線撮影装置１は、パノラマ用画像処理手段７によって、選択された関心領域の断層域の画像を再構成し、処理結果としてのパノラマ画像を第１出力手段１０（モニタ）に表示する（ステップＳ４３）。
【００８２】
［パノラマ用画像処理手段の機能ブロック］
図１８は、本発明の実施形態に係るＸ線撮影装置のパノラマ用画像処理手段の機能を示すブロック図である。パノラマ用画像処理手段７は、図１８に示すように、大別して、断層域選択受付手段４０と、画像再構成手段５０と、画像サイズ補正手段６０とを備えている。また、処理画像記憶手段８には、パノラマ用画像処理手段７が参照する情報として、カメラ撮影画像３１と、標準テーブル３２と、小児用テーブル３３とが記憶されている。
【００８３】
カメラ撮影画像３１は、図１０に示すカメラ撮影画像６０５と同様な画像である。ただし、図８に例示したように印象材２１が付着されて印象２２が写し取られた状態の補助具１２の画像である。
【００８４】
標準テーブル３２は、図１３に示したように、３Ｄファントム６０６において、６０８の符号で示す直線と、標準撮影軌道６０７との交点（計２５箇所）を示す座標値を格納したテーブルであり、前記した表１のような記憶構造を有している。なお、左右とも１番〜８番の座標が歯列の位置に相当するので、９番〜１２番の座標は使用しなくてもよい。
小児用テーブル３３は、同様に図１４を参照して説明した座標値を格納したテーブルである。
【００８５】
断層域選択受付手段４０は、図１８に示すように、カメラ撮影画像読込手段４１と、テーブル読込手段４２と、座標値算出手段４３と、描画手段４４と、合成手段４５と、ポイント変更受付手段４６とを備えている。
【００８６】
カメラ撮影画像読込手段４１は、処理画像記憶手段８から、指定されたカメラ撮影画像３１を読み込み、合成手段４５に出力するものである。
テーブル読込手段４２は、処理画像記憶手段８から、指定されたテーブル（標準テーブル３２または小児用テーブル３３）を読み込み、座標値算出手段４３に出力するものである。
【００８７】
座標値算出手段４３は、カメラ撮影画像上に描画する際に必要なピクセル位置を算出するものである。この座標値算出手段４３は、前記した式（１）〜式（３）に基づいて、前記した表２のような換算値を算出し、算出結果を描画手段４４に出力する。
【００８８】
描画手段４４は、座標値算出手段４３で算出された被写体の断層位置の軌道を描画するものである。
合成手段４５は、描画手段４４で描画された被写体の断層位置の軌道と、カメラ撮影画像読込手段４１で読み込んだカメラ撮影画像とを合成することで断層域選択画面を生成し、第１出力手段１０に出力するものである。
【００８９】
なお、描画手段４４や合成手段４５は、例えば、ＧＰＵ（Graphics Processing Unit）、または、ＣＰＵやＦＰＧＡ（Field Programmable Gate Array）から構成され、所定のプログラムをＲＡＭに展開して実行することで前記した機能を果たす。
【００９０】
ポイント変更受付手段（変更受付手段）４６は、第１出力手段１０に表示された断層位置の軌道に対する選択および変形の指示を第１入力手段１８から受け付けて、選択および変形された軌道の描画を描画手段４４に指示するものである。ここで、選択および変形された軌道の情報は、画像再構成手段５０に出力される。このポイント変更受付手段４６は、第１入力手段１８（ＧＵＩ）に係る処理を行う。
【００９１】
画像再構成手段５０は、断層域選択画面を表示するための前提として、関心領域（ＲＯＩ）の選択を受け付けるために、初期状態では、パノラマ断層画像Ｂ0を構成する。すなわち、画像再構成手段５０は、画像記憶手段６に蓄積されたフレーム画像ｇを組み合わせて重畳する際に、フレーム画像ｇの組合せを適宜変更して、基本断層ｂ0に対応したパノラマ断層画像Ｂ0を生成する。
【００９２】
また、この画像再構成手段５０は、ポイント変更受付手段４６から選択および変形された軌道の情報を取得した場合、この選択および変形された軌道の情報に基づいて、パノラマ断層画像Ｂ0を構成する複数のフレーム画像ｇの重ね合わせ幅を求め、各フレーム画像ｇのデータをメモリ上で重畳することにより、選択および変形された軌道（指定された断層域）の断層画像を再構成する。画像再構成手段５０によって生成されるパノラマ断層画像Ｂ0や再構成された断層画像の情報は、画像サイズ補正手段６０に出力される。
【００９３】
画像サイズ補正手段６０は、第１入力手段１８から受け付ける、選択および変形された軌道の情報に基づいて、被写体の選択および変形された軌道の位置と、標準断層位置とのずれに応じて、被写体の選択および変形された軌道の位置において画像再構成手段５０で再構成された断層画像を拡大または縮小することで、ずれが無い場合に想定されている画像の大きさに対応した画像サイズに補正するものである。ここでは、画像サイズ補正手段６０は、垂直方向補正手段６１と、水平方向補正手段６２とを備えるものとした。
【００９４】
垂直方向補正手段６１は、垂直方向の画像サイズを補正するものであり、水平方向補正手段６２は、水平方向の画像サイズを補正するものである。画像サイズの拡大／縮小を行う補正の原理（以下、単に、サイズ補正原理という）について、図１９および図２０を参照して説明する。サイズ補正原理には、被写体とＸ線源２との位置関係を考慮した原理（サイズ補正原理Ａ）と、選択された断層域（関心領域）と旋回駆動手段４の回転中心Ｏとの位置関係を考慮した原理（サイズ補正原理Ｂ）との２種類がある。
【００９５】
（図１９に示す例の前提）
Ｘ線撮影装置１は、旋回駆動手段４のアーム４ａにＸ線源２とＸ線撮像手段３とが保持されているので、Ｘ線源２とＸ線撮像手段３の受光面との距離は一定であり、かつ、Ｘ線源２とＸ線撮像手段３とは回転中心Ｏの周りに回転することを前提としている。また、図１９では、正規の断層位置である標準断層位置７０１（ある瞬間の標準撮影軌道；破線の位置）は、回転中心Ｏから距離ｒだけ離れた位置である。そして、Ｘ線撮像手段３は、標準断層位置７０１にある被写体を撮像したときに、適切な大きさの被写体画像が取得され、その適切な大きさで表示できるように調整されている。ここで、Ｘ線源２と標準断層位置７０１との間の距離をａ、Ｘ線撮像手段３と標準断層位置７０１との間の距離をｂとする。
【００９６】
（サイズ補正原理Ａ）
サイズ補正原理Ａは、Ｘ線源２とＸ線撮像手段３との被写体が、固定された一方のＸ線源２に対して近づくと、他方のＸ線撮像手段３で撮像される被写体の画像の大きさは、その分だけ拡大し、逆に、被写体をＸ線源２から遠ざけると、その画像の大きさは縮小することになるというものである。
【００９７】
図１９に示すように、関心領域の歯列の位置７０２（太線の位置）は、標準断層位置７０１から回転中心Ｏ側（図１９において左側）に所定の距離Ｌだけずれている。この場合、関心領域の歯列の位置７０２を、固定されたＸ線源２に対して近づけると（図１９において左側に移動すると）、Ｘ線撮像手段３で撮像される画像の大きさは、Ｘ線撮影装置１で予め定めている画像の大きさに比べて拡大することになる。
【００９８】
より詳細には、Ｘ線撮影装置１では、標準断層位置７０１にあると仮定する被写体（正規の位置の被写体）に対して、次の関係を想定している。すなわち、図１９において、正規の位置の被写体は、Ｘ線撮像手段３の受光面では、実際よりも（ａ＋ｂ）／ａ倍のサイズに拡大して撮影されるので、表示画面上では、実際の被写体サイズよりも拡大して表示される。ゆえに、（ａ＋ｂ）／ａを拡大率といい、これをＭで表す。
【００９９】
【数１】
2010148676.tif 000005
【０１００】
また、関心領域の歯列の位置７０２にあると仮定する被写体（関心領域の位置の被写体）は、Ｘ線撮像手段３の受光面では、同様に拡大して撮影される。このときの拡大率をＭ１で表す。
【０１０１】
【数２】
2010148676.tif 000006
【０１０２】
拡大率Ｍ１は、拡大率Ｍよりも大きいので、歯列の位置が正規の位置からＸ線源２側にずれたことに起因して拡大した割合Ｍｍは、式（６）で表される。
【０１０３】
【数３】
2010148676.tif 000007
【０１０４】
つまり、関心領域の位置が、正規の位置から距離Ｌだけずれたことに伴い、被写体の画像は、水平方向も垂直方向もＭｍ倍だけ余計に拡大して表示される。
【０１０５】
（サイズ補正原理Ｂ）
サイズ補正原理Ｂは、Ｘ線源２とＸ線撮像手段３との被写体が、固定された回転中心Ｏに対して近づくと、Ｘ線撮像手段３で撮像される被写体の画像の大きさは、その分だけ縮小し、逆に、被写体を回転中心Ｏから遠ざけると、その画像の大きさは拡大することになるというものである。そのため、サイズ補正原理Ｂは、被写体の画像の水平方向にだけ画像サイズの影響を及す原理である。
【０１０６】
前記したように、関心領域の歯列の位置７０２は、標準断層位置７０１から回転中心Ｏ側に距離Ｌだけずれている。言い換えると、関心領域の歯列の位置７０２は、回転中心Ｏから所定距離（Ｌ−ｒ）だけ図１９において右側に離れている。この場合、関心領域の歯列の位置７０２を、回転中心Ｏに対して近づけると（図１９において左側に移動すると）、Ｘ線撮像手段３で撮像される画像の大きさは、Ｘ線撮影装置１で予め定めている画像の大きさに比べて縮小することになる。
【０１０７】
より詳細には、Ｘ線撮影装置１では、標準断層位置７０１にあると仮定する被写体（正規の位置の被写体）のフレーム画像を用いて画像再構成したときに、前記した式（４）の拡大率Ｍで正しく表示されるようになっている。ところが、図１９に示すように、関心領域の歯列の位置７０２が回転中心Ｏに近づいてしまったので、フレーム画像を用いて同様に画像再構成すると、関心領域の位置の被写体の画像は、拡大率Ｍで正しく表示されることはなく、想定した拡大率Ｍよりも縮小して表示されてしまう。このとき縮小した割合Ｎは、式（７）で表される。
【０１０８】
【数４】
2010148676.tif 000008
【０１０９】
以上をまとめると、垂直方向の補正には、サイズ補正原理Ａ（式（６））を用いればよく、水平方向の補正には、サイズ補正原理Ａおよびサイズ補正原理Ｂ（式（６）と式（７））を用いればよい。したがって、画像サイズ補正手段６０の垂直方向補正手段６１は、画像再構成手段５０で再構成された断層画像の垂直方向のサイズに、式（８）に示す垂直方向拡大率ｖを乗算することにより、再構成された断層画像の垂直方向のサイズを補正する。
【０１１０】
【数５】
2010148676.tif 000009
【０１１１】
また、水平方向補正手段６２は、再構成された断層画像の水平方向のサイズに、式（９）に示す水平方向拡大率ｈを乗算することにより、再構成された断層画像の水平方向のサイズを補正する。
【０１１２】
【数６】
2010148676.tif 000010
【０１１３】
（図２０に示す例）
次に、図２０を参照して説明する。図２０に示す例と、図１９に示した例とは、前提において、関心領域の歯列の位置７０２（太線の位置）が相違している。すなわち、図２０に示す例では、標準断層位置７０１からＸ線撮像手段３側（図２０において右側）に距離Ｌだけずれている。また、関心領域の歯列の位置７０２は、回転中心Ｏから所定距離（Ｌ＋ｒ）だけ図２０において右側に離れている。
【０１１４】
これらの相違点を除けば、同様にサイズ補正原理を導けるので詳細な説明は省略する。図２０に示す例におけるサイズ補正原理によると、前記した式（５）、式（６）および式（８）において、「ａ−Ｌ」をそれぞれ「ａ＋Ｌ」に置き換え、かつ、前記した式（７）および式（９）において、「ｒ−Ｌ」をそれぞれ「ｒ＋Ｌ」に置き換えれば、対応する関係式を導くことができる。
【０１１５】
図１９あるいは図２０に示す例で説明したように補正した後、第１出力手段１０は、画像サイズが補正された断層画像をパノラマ断層画像として表示することができる。ここで、図２０に示す例に対応する表示画像例を図２１に示す。なお、図２１では、図２０に対応させる目的のために、標準断層位置７０１、すなわち撮影軌道を破線（内側の線）で示し、かつ、関心領域の歯列の位置７０２、すなわち変形された軌道を実線（外側の線）で示した。ただし、断層域選択画面では、初期状態において、印象と共に標準断層位置７０１だけが表示され、続いて、利用者が選択した結果の表示として関心領域の歯列の位置７０２が表示されることになる。
【０１１６】
図２１に示す距離Ｌが前記した式（５）〜式（９）中のずれ幅Ｌである。ここでは、簡単のため、標準断層位置７０１の軌道と、関心領域の歯列の位置７０２の軌道とが、どの位置でも一定の距離Ｌだけ離間しているものとした。このＸ線撮影装置１のパノラマ用画像処理手段７では、例えば、合成手段４５と、ポイント変更受付手段４６とによって距離Ｌの情報を取得し、画像サイズ補正手段６０に通知することができる。
【０１１７】
図１９あるいは図２０に示す例において、画像サイズ補正手段６０は、フレーム画像を歯列の位置（関心領域）で断層再構成した場合に得られる所望の断層画像において、その画像垂直方向および画像水平方向の画像サイズに、前記した式（８）および式（９）の拡大率あるいはその符号を置換した関係式を適用することで補正する。これにより、正規の断層域で得られる断層画像と同様の大きさで表示されることになる。
【０１１８】
具体的には、
正規の断層域で得られる画像の幅            ：Ｗｓ
正規の断層域で得られる画像の高さ          ：Ｈｓ
歯列の位置（関心領域）で得られる画像の幅  ：Ｗｒ
歯列の位置（関心領域）で得られる画像の高さ：Ｈｒ
とすると、式（１０）および式（１１）の関係式が得られる。
【０１１９】
Ｈｒ＝Ｈｓ×ｖ  …  式（１０）
Ｗｒ＝Ｗｓ×ｈ  …  式（１１）
【０１２０】
したがって、式（８）に示す垂直方向拡大率ｖや式（９）に示す水平方向拡大率ｈに対して次の用途１、用途２が考えられる。
（用途１）前記した式（８）および式（９）のように算出した拡大率を用いて、パノラマ画像の画像再構成を行うことができる。
（用途２）パノラマ撮影画像において最もピントが合っている位置の拡大率を算出することで、サイズ補正後の断層画像として、正規の断層域に対してどの程度拡大／縮小した画像が表示されているかを明確にすることができる。
【０１２１】
これらの考えから、例えば関心領域の歯列の位置７０２が最もピントが合っている断層位置であるとした場合、関心領域の歯列の位置７０２で断層再構成した際の、画像垂直方向および画像水平方向の画像サイズを、被写体の実寸サイズに補正することも可能である。これは、前記した式（４）の拡大率Ｍを「１」にすることに相当する。
【０１２２】
関心領域の歯列の位置７０２で断層再構成した場合の、画像垂直方向および画像水平方向の画像サイズを、被写体のサイズに補正するための垂直方向の補正率（垂直サイズ補正率）ｖｓ、および水平方向の補正率（水平サイズ補正率）ｈｓは、それぞれ式（１２）、式（１３）で表される。
【０１２３】
【数７】
2010148676.tif 000011
【０１２４】
被写体の実寸サイズに補正するための垂直サイズ補正率ｖｓ、および水平サイズ補正率ｈｓを用いて、被写体サイズに補正するときの関係は以下のようになる。
具体的には、
歯列の位置（関心領域）で得られる画像の幅  ：Ｗｒ
歯列の位置（関心領域）で得られる画像の高さ：Ｈｒ
被写体位置での画像の幅                    ：Ｗ′
被写体位置での高さ                        ：Ｈ′
とすると、式（１４）および式（１５）の関係式が得られる。
【０１２５】
Ｗ′＝Ｗｒ×ｈｓ  …  式（１４）
Ｈ′＝Ｈｒ×ｖｓ  …  式（１５）
【０１２６】
したがって、式（１２）に示す垂直サイズ補正率ｖｓや式（１３）に示す水平サイズ補正率ｈｓに対して次の用途３が考えられる。
（用途３）
パノラマ撮影画像において、最もピントが合っている位置の補正率を算出することで、被写体の実寸と同じサイズの画像を表示することができる。よって、被写体が例えば歯列の場合、表示画像から病変部の正式なサイズを取得することが可能となる。
【０１２７】
本実施形態によれば、Ｘ線撮影装置１は、予め採取した印象をカメラ１１で撮影し、その画像上に基本断層（標準撮影軌道）を重畳表示する。したがって、利用者は、実際にパノラマ撮影により得られた断層位置を視覚的に認識することができる。また、利用者は、基本断層（標準撮影軌道）と関心領域の断層位置との間にどの程度のずれがあるかを明確に認識することができる。
【０１２８】
また、本実施形態によれば、Ｘ線撮影装置１は、表示した印象の撮影画像上で関心領域の断層位置を選択および変形する操作を受け付けることができる。したがって、利用者は、診断に適した断層位置を簡単に指示することができる。例えば、断層域選択画面において、被写体が歯列の場合、歯牙同士の隣接面を指定することが可能である。歯牙同士の隣接面を指定するに際し、ポイントを歯列の列方向の隣のポイントに向かって移動させたり、ポイント間の直線部分が、歯牙同士の隣接面を貫くように、歯列の幅方向（歯列の内側や外側）に移動させたりすることができる。これにより、選択された断層画像が表示されたときに、利用者は、隣接面のう蝕（虫歯）を観察することができる。また、Ｘ線撮影装置１は、任意の断層位置の断層画像を容易に再構成できるため、患者にとって最小限の被ばくとなる。
【０１２９】
また、本実施形態によれば、Ｘ線撮影装置１は、基本断層（標準撮影軌道）と関心領域の断層位置との間にあるずれ幅から、関心領域の画像拡大率を算出することができる。これにより、算出した拡大率を用いて、パノラマ画像の画像再構成を行うことができる。また、最もピントが合っている位置の拡大率を算出することで、歯列の断層（関心領域）が正規の断層域に対してどの程度拡大／縮小した画像を見ているかを明確することができる。さらに、この拡大／縮小されている画像のサイズを、被写体の実際の大きさとなるように補正をかけることも可能となる。以上のことから、臨床的にも有効性がある。
【０１３０】
さらに、本実施形態によれば、Ｘ線撮影装置１では、被写体（患者）の印象を一度カメラ撮影しておけば、その被写体（患者）が再度パノラマ撮影をする際にも、そのカメラ撮影画像を断層域選択画面に反映することができる。また、このカメラ撮影画像取得時に使用した印象材付補助具を保管しておけば、同一の被写体（患者）であれば、装置に対して前回と同様の位置づけを行うことが可能である。さらに、この印象材付補助具を位置付けに再度使用するときには、前回の断層面の位置が把握できているため再現性がある。このとき、利用者は、経時変化を容易に追うことができる。
【０１３１】
以上、本発明の実施形態について説明したが、本発明はこれに限定されるものではなく、その趣旨を変えない範囲で実施することができる。例えば、本実施形態では、パノラマ用画像処理手段７に、画像サイズ補正手段６０を備えるベストモードで説明したが、画像サイズ補正手段６０は必須の構成ではない。ただし、この画像サイズ補正手段６０の作用により、様々な用途に適用することが可能となり、より優れた効果を奏することになるから、ベストモードであることが好ましい。
【０１３２】
また、本実施形態では、Ｘ線撮影装置１がカメラ１１を備えていることとしたが、カメラ１１は必須ではなく、Ｘ線撮影装置１が、別のカメラを備えた位置合わせ装置で撮像したカメラ撮影画像を取得するように構成することもできる。
【０１３３】
また、本実施形態では、旋回駆動手段４のアーム４ａは、回転中心Ｏの周りに回転可能に構成され、さらに回転中心Ｏを移動させるスライド動作が可能に構成されているものとしたが、本発明のＸ線撮影装置において、回転中心Ｏを移動させるスライド動作は必須ではなく、旋回駆動手段４のアーム４ａが回転中心Ｏの周りに回転する動作だけを行うように構成することもできる。
【０１３４】
また、前記した式（１０）や式（１１）の関係式は、画像再構成後の断層画像に対して利用するだけではなく、画像再構成前のフレーム画像に対して利用することもできる。
【０１３５】
また、関心領域の再構成された断層画像の表示は、静止画像に限定されるものではない。例えば、歯列の内側から外側に向かって０．１ｍｍ単位で断層位置をずらしたときの断層画像を連続的にムービー表示してもよい。この場合、断層域選択画面の表示（ナビゲート表示）において、印象のカメラ撮影画像に重畳される軌道についても、ムービー表示に対応する断層位置の軌道を連続的に表示させてもよい。
【０１３６】
また、本実施形態では、パノラマ用画像処理手段７が画像再構成処理の機能と、利用者が断層位置を選択するための画像を表示する機能との両方を有するものとして説明したが、別々に設けるようにしてもよい。
【０１３７】
また、パノラマ用画像処理手段７は、一般的なコンピュータに、前記した描画手段４４、合成手段４５、ポイント変更受付手段４６、画像再構成手段５０の機能を実行させるパノラマ用画像処理プログラムを実行することで実現することもできる。このプログラムは、通信回線を介して提供することも可能であるし、ＣＤ−ＲＯＭ等の記録媒体に書き込んで配布することも可能である。
【図面の簡単な説明】
【０１３８】
【図１】本発明の実施形態に係るＸ線撮影装置の構成を模式的に示すブロック図である。
【図２】被写体としての標準的な歯列に対応するように割り当てられた複数の断層を示す説明図である。
【図３】入力された関心領域（ＲＯＩ）の一例を示す図であって、（ａ）はパノラマ断層画像上で指定されたＲＯＩ、（ｂ）は指定されたＲＯＩに対応した奥行き方向の各断層をそれぞれ示している。
【図４】本発明の実施形態に係るＸ線撮影装置のパノラマ用画像処理手段がＲＯＩからフレーム画像を抽出して再構成する処理を示す説明図である。
【図５】標準的な歯列よりも小さい歯列の一例を示す説明図である。
【図６】本発明の実施形態に係るＸ線撮影装置を用いた作業の流れと処理の流れを示すフローチャートである。
【図７】本発明の実施形態に係るＸ線撮影装置に装着される補助具の一例を示す平面図である。
【図８】図７に示した補助具に付着された印象材により採取された歯列の印象の一例を示す平面図である。
【図９】本発明の実施形態に係るＸ線撮影装置が備えるカメラの取り付け位置の説明図である。
【図１０】本発明の実施形態に係るＸ線撮影装置が備えるカメラの配置とカメラ撮影画像との対応関係の説明図である。
【図１１】図６に示したカメラ撮影画像の取込プロセスの一例を示すフローチャートである。
【図１２】図６に示したナビゲート表示の初期状態としての撮影軌道表示処理プロセスの一例を示すフローチャートである。
【図１３】標準撮影モードに対応した標準撮影軌道を示す説明図である。
【図１４】小児用撮影モードに対応した小児用撮影軌道を示す説明図である。
【図１５】本発明の実施形態に係るＸ線撮影装置に位置付けされる補助具および鉄球の実空間上の長さおよび幅の説明図である。
【図１６】図６に示した関心領域の断層選択および表示プロセスの一例を示すフローチャートである。
【図１７】断層域選択画面の表示例を示す図であって、（ａ）は標準撮影軌道、（ｂ）は入力操作によって変形された軌道を示している。
【図１８】本発明の実施形態に係るＸ線撮影装置のパノラマ用画像処理手段の機能を示すブロック図である。
【図１９】歯列が想定よりも拡大して表示される場合を説明するための説明図である。
【図２０】歯列が想定よりも縮小して表示される場合を説明するための説明図である。
【図２１】関心領域の歯列の位置が標準断層位置よりも外側にある場合の断層域選択画面の説明図である。
【符号の説明】
【０１３９】
１      Ｘ線撮影装置
２      Ｘ線源
３      Ｘ線撮像手段
４      旋回駆動手段
４ａ    アーム
５      Ａ／Ｄ変換手段
６      画像記憶手段（フレーム画像記憶手段）
７      パノラマ用画像処理手段
８      処理画像記憶手段
９      全画像表示記憶手段
１０    第１出力手段
１１    カメラ
１２    補助具（位置付け用補助具）
１３    画像記憶手段（カメラ撮影画像記憶手段）
１４    カメラ画像用処理手段
１５    処理画像記憶手段
１６    全画像表示記憶手段
１７    第２出力手段
１８    第１入力手段
１９    第２入力手段
２１    印象材
２２    印象
２３    ベース
２４    支柱
２６    チンレスト
２５    コントローラ
２７    フォアヘッドサポート
２８    サイドヘッドサポート
３１    カメラ撮影画像
３２    標準テーブル
３３    小児用テーブル
４０    断層域選択受付手段
４１    カメラ撮影画像読込手段
４２    テーブル読込手段
４３    座標値算出手段
４４    描画手段
４５    合成手段
４６    ポイント変更受付手段
５０    画像再構成手段
６０    画像サイズ補正手段
６１    垂直方向補正手段
６２    水平方向補正手段
【図１】
2010148676.tif 000012
【図２】
2010148676.tif 000013
【図３】
2010148676.tif 000014
【図４】
2010148676.tif 000015
【図５】
2010148676.tif 000016
【図６】
2010148676.tif 000017
【図７】
2010148676.tif 000018
【図８】
2010148676.tif 000019
【図９】
2010148676.tif 000020
【図１０】
2010148676.tif 000021
【図１１】
2010148676.tif 000022
【図１２】
2010148676.tif 000023
【図１３】
2010148676.tif 000024
【図１４】
2010148676.tif 000025
【図１５】
2010148676.tif 000026
【図１６】
2010148676.tif 000027
【図１７】
2010148676.tif 000028
【図１８】
2010148676.tif 000029
【図１９】
2010148676.tif 000030
【図２０】
2010148676.tif 000031
【図２１】
2010148676.tif 000032